(57)【要約】【課題】定格ランプ電力に応じて器具本体の全長を変更することなしに、適合しない直管形ランプとソケットの組み合わせで誤使用されることを防止する。【解決手段】両端部に口金２を有する直管形ランプ１と、直管形ランプ１の軸方向に沿って口金２と嵌合する受金１３を具備した一対のソケット１０，１０’と、両ソケット１０，１０’を保持する器具本体２０とを備える。直管形ランプ１の口金２に楕円筒形の嵌合部４ａが突設されるとともに嵌合部４ａの短径方向の外側面中央に一対の凸部５が設けられ且つ各凸部５と嵌合する一対の凹部１３ｃが受金１３に設けられている。したがって、適合する直管形ランプ１の口金２とソケット１０，１０’の受金１３のみが嵌合可能となり、定格ランプ電力に応じて器具本体２０の全長を変更することなしに、適合しない直管形ランプとソケットの組み合わせで誤使用されることを防止できる。【選択図】図１
2006310326.tif 000002
【特許請求の範囲】
【請求項１】
両端部に口金を有する直管形ランプと、直管形ランプの軸方向に沿って口金と嵌合する受金を具備する一対のソケットと、両ソケットを保持する器具本体とを備え、口金との嵌合方向に受金を移動自在とし且つ口金と嵌合する向きに受金を付勢する移動機構が少なくとも一方のソケットに設けられ、全長が略同一で定格ランプ電力が異なる複数種の直管形ランプのうちで適合する直管形ランプの口金に凸部が設けられ、直管形ランプの凸部と嵌合する凹部が受金に設けられ、口金に楕円筒形の嵌合部が突設され、フィラメントの両端にそれぞれ電気的に接続された一対の接触片が嵌合部内側における長径方向に対向配置され、嵌合部には短径方向の外側面中央に嵌合部の突出方向に沿って凸部が突設されたことを特徴とする照明器具。
【請求項２】
直管形ランプの軸を挟んで対向する位置に凸部が設けられ、器具本体の取付面と略直交する方向に沿って凹部が並設されたことを特徴とする請求項１記載の照明器具。
【請求項３】
直管形ランプの軸を挟んで対向する位置に凸部が設けられ、器具本体の取付面と略平行に凹部が並設されたことを特徴とする請求項１記載の照明器具。
【発明の詳細な説明】
【技術分野】
【０００１】
本発明は、直管形ランプを光源とする照明器具に関するものである。
【背景技術】
【０００２】
従来、コンパクト型蛍光ランプのように一端側にのみ口金を有する片口金のランプを光源とする照明器具においては、定格ランプ電力が異なる複数種のランプのうちで適合するランプ（適合ランプ）以外のランプ（非適合ランプ）が誤って装着されることがないように、適合ランプ及び非適合ランプの口金にそれぞれ異なる形状及び位置に凸部又は凹部が設けられ、適合ランプの凸部とのみ嵌合する凹部又は適合ランプの凹部とのみ嵌合する凸部がソケットの受金に設けられていた（例えば、特許文献１参照）。すなわち、非適合ランプと適合ランプとで凸部又は凹部の形状や位置が異なっているため、非適合ランプを装着しようとしても凸部又は凹部がソケットの外郭に干渉して装着できず、使用者に非適合ランプを装着しようとしていることを認識させることができる。
【特許文献１】実開昭６１−１０３８８７号公報
【発明の開示】
【発明が解決しようとする課題】
【０００３】
一方、両端部に口金を有する直管形ランプを光源とする照明器具においては、一般に定格ランプ電力毎に直管形ランプ及び器具本体の全長を異ならせることで非適合ランプの誤装着を防止していた。
【０００４】
しかしながら、上記従来の誤装着防止構造では、器具本体の全長も適合ランプの全長に合わせて変更しなければならないため、全長が異なる多種類の器具本体を設計及び製造する必要があった。
【０００５】
本発明は上記事情に鑑みて為されたものであり、その目的は、定格ランプ電力に応じて器具本体の全長を変更することなしに、適合しない直管形ランプとソケットの組み合わせで誤使用されることを防止できる照明器具を提供することにある。
【課題を解決するための手段】
【０００６】
請求項１の発明は、上記目的を達成するために、両端部に口金を有する直管形ランプと、直管形ランプの軸方向に沿って口金と嵌合する受金を具備する一対のソケットと、両ソケットを保持する器具本体とを備え、口金との嵌合方向に受金を移動自在とし且つ口金と嵌合する向きに受金を付勢する移動機構が少なくとも一方のソケットに設けられ、全長が略同一で定格ランプ電力が異なる複数種の直管形ランプのうちで適合する直管形ランプの口金に凸部が設けられ、直管形ランプの凸部と嵌合する凹部が受金に設けられ、口金に楕円筒形の嵌合部が突設され、フィラメントの両端にそれぞれ電気的に接続された一対の接触片が嵌合部内側における長径方向に対向配置され、嵌合部には短径方向の外側面中央に嵌合部の突出方向に沿って凸部が突設されたことを特徴とする。
【０００７】
請求項２の発明は、請求項１の発明において、直管形ランプの軸を挟んで対向する位置に凸部が設けられ、器具本体の取付面と略直交する方向に沿って凹部が並設されたことを特徴とする。
【０００８】
請求項３の発明は、請求項１の発明において、直管形ランプの軸を挟んで対向する位置に凸部が設けられ、器具本体の取付面と略平行に凹部が並設されたことを特徴とする。
【発明の効果】
【０００９】
請求項１の発明によれば、適合する直管形ランプの口金とソケットの受金のみが嵌合可能となり、定格ランプ電力に応じて器具本体の全長を変更することなしに、適合しない直管形ランプとソケットの組み合わせで誤使用されることを防止できる。
【００１０】
請求項２の発明によれば、直管形ランプの装着時に凸部及び凹部によりガイドされて装着性が向上する。
【００１１】
請求項３の発明によれば、凸部と凹部の嵌合が外れ難くなり耐振動性やランプの保持性が向上する。
【発明を実施するための最良の形態】
【００１２】
本実施形態の照明器具は、図１及び図４に示すように両端部に口金２を有する直管形ランプ１と、直管形ランプ１の軸方向に沿って口金２と嵌合する受金１３を具備した一対のソケット（可動形ソケット１０及び固定形ソケット１０’）と、両ソケット１０，１０’を保持する器具本体２０とを備える。
【００１３】
直管形ランプ１は、図２に示すように両端部にＲ１７ｄ（ＪＩＳ  Ｃ  ７７０９−１参照）と呼ばれる口金２を有する高出力タイプの蛍光ランプである。この口金２は、アルミニウムなどの金属で形成された皿状のシェル３に合成樹脂製の絶縁体４が一体成形され、絶縁体４の中央に楕円筒形の嵌合部４ａが突設されるとともに、図示しないフィラメントの両端にそれぞれ電気的に接続されている略Ｌ字形の一対の接触片６が嵌合部４ａ内側における長径方向に対向配置されて構成される。また、嵌合部４ａには短径方向の外側面中央にそれぞれ凸部５が形成されている。凸部５は平面視矩形状であって、嵌合部４ａの突出方向に沿って突設されている。
【００１４】
可動形ソケット（以下、「ソケット」と略す）１０は、図３に示すように背面が開口する箱形のボディ１１、ボディ１１の開口面に被着されるカバー１２で構成される外郭を備え、この外郭内に受金１３が納装される。ボディ１１は、器具本体２０に固定される固定部１１ａと、固定部１１ａの前面より突出する略山形の突出部１１ｂとが一体に形成された合成樹脂成型品からなり、突出部１１ｂの先端部分には移動体１４が進退自在に挿通する挿通孔１１ｃが開口する。カバー１２は合成樹脂成型品からなり、ボディ１１の固定部１１ａ並びに突出部１１ｂの開口面を塞ぐ形状に形成され、先端部分の内底面には後述するコイルばね１７の端部を固定する一対のばね固定部１２ａが設けられ、基端部分の内底面にはボディ１１の固定部１１ａ内に進出する一対の突台部１２ｂが突設されている。
【００１５】
移動体１４は合成樹脂成型品からなり、筒状の主部１４ａと、主部１４ａの一端側に形成された外鍔部１４ｂとを有し、主部１４ａの内側に受金１３が設けられている。受金１３は、前面に開口し直管形ランプ１の口金２の嵌合部４ａが嵌合する嵌合凹所１３ａと、嵌合凹所１３ａの底面中央より前方へ突設された平面視略エ字形のガイド部１３ｂと、平面視略楕円形の嵌合凹所１３ａの短軸方向に沿って外側へ窪み、口金２の凸部５と嵌合する一対の凹部１３ｃと、嵌合凹所１３ａの底面に設けられた挿通孔（図示せず）に後方から挿通される接触端子１５とを具備する。接触端子１５は金属部材により略十字形に形成され、上記挿通孔から嵌合凹所１３ａ内に挿入されるコンタクト部１５ａが、それぞれガイド部１３ｂの両側面の縦溝１３ｄに収納保持される。
【００１６】
一方、上記挿通孔より移動体１４の後方へ突出する接触端子１５の後端部１５ｂは導電板１６に取り付けられる。この導電板１６は帯状の金属板が折曲されてなり、略く字形のばね片１６ａと、ばね片１６ａの一端部に設けられた平板状の取付片１６ｂと、ばね片１６ａの他端部に設けられて外部電線が接続される接続部１６ｃとを有する。取付片１６ｂには略Ｈ字形の溝１６ｄが形成されており、この溝１６ｄに接触端子１５の後端部１５ｂが挿入係止されて接触端子１５と導電板１６とが機械的及び電気的に接続される。また、接続部１６ｃはカバー１２の突台部１２ｂの先端に設けられた保持部１２ｃに保持される。さらに、取付片１６ｂの端縁には略Ｌ字形の係止片１６ｅが後方（カバー１２側）に折曲形成されており、この係止片１６ｅにコイルばね１７の一端部が係止固定されるとともにカバー１２のばね固定部１２ａにコイルばね１７の他端部が固定される。
【００１７】
而して、移動体１４の主部１４ａをボディ１１の挿通孔１１ｃに後方から挿通し、接触端子１５、導電板１６並びにコイルばね１７を内部に納装してボディ１１の開口面にカバー１２を被着し、一対の組立ねじ１８によりボディ１１とカバー１２を結合することでソケット１０が組み立てられる。ここで、圧縮状態で外郭内に納装されるコイルばね１７のばね力により導電板１６及び接触端子１５を介して移動体１４が前方へ弾性付勢され、挿通孔１１ｃの周縁に外鍔部１４ｂが当接することによって移動体１４が挿通孔１１ｃから抜け止めされた状態で挿通孔１１ｃから進退自在に保持される。すなわち、移動体１４及びコイルばね１７により、口金２との嵌合方向に受金１３を移動自在とし且つ口金２と嵌合する向きに受金１３を付勢する移動機構が構成される。なお、固定形ソケット１０’は上記移動機構を備えておらず外郭に対して受金が固定されている点が相違するが、これ以外の構成についてはほぼ共通であるから詳細な説明は省略する。
【００１８】
器具本体２０は、図４に示すように長尺の筒状に形成されて長手方向の両端部にそれぞれソケット１０，１０’が取り付けられ、内部には外部電線をソケット１０，１０’と接続するための端子台や直管形ランプ１を点灯するための安定器などが収納され、取付面（図４における上面）には天井面等への取付構造が設けられている。
【００１９】
上述のように構成される本実施形態の照明器具において直管形ランプ１を装着する手順を説明する。まず、可動形のソケット１０に対して、口金２の一対の凸部５を受金１３の一対の凹部１３ｃにそれぞれ嵌合させるように口金２の嵌合部４ａを受金１３の嵌合凹所１３ａに挿入すると、受金１３のガイド部１３ｂが嵌合部４ａ内に進入して一対の接触片６がそれぞれガイド部１３ｂに支持された接触端子１５のコンタクト部１５ａと接触する。このとき、直管形ランプ１がソケット１０の方へ押されることでコイルばね１７のばね力に抗して移動体１４が器具本体２０の長手方向（口金２と受金１３の嵌合方向）の後方、すなわちソケット１０の挿通孔１１ｃ内に進入する向きに移動し、口金２の嵌合部４ａ及び凸部５が受金１３の嵌合凹所１３ａ並びに凹部１３ｃとそれぞれ嵌合した状態で移動体１４とともに口金２がソケット１０の挿通孔１１ｃ内に進入する（図４（ｂ）参照）。ここで、図４に示すように一対のソケット１０，１０’間の距離Ｌが、直管形ランプ１の全長Ａよりも短く且つ全長Ａと口金２の嵌合部４ａの突出寸法Ｆとの差（＝Ａ−Ｆ）よりも大きい値に設定されているため、口金２がソケット１０の挿通孔１１ｃ内に進入することで外郭の外にある直管形ランプ１の長さ（≒Ａ−Ｆ）がソケット１０，１０’間の距離Ｌよりも短くなり、ソケット１０，１０’間に直管形ランプ１を挿入することができる。そして、直管形ランプ１を固定形のソケット１０’の向きに押すことで他方の口金２をソケット１０’の受金に接続することができる。このとき、コイルばね１７のばね力により移動体１４がソケット１０の挿通孔１１ｃから退出する向きに移動し、移動体１４がソケット１０の挿通孔１１ｃから突出した状態で直管形ランプ１が両ソケット１０，１０’に装着される（図４（ａ）参照）。なお、本実施形態では直管形ランプ１の軸を挟んで対向する位置に凸部５が設けられ、器具本体２０の取付面と略直交する方向（図４における上下方向）に沿って凹部１３ｃが並設されているので、図４（ｂ）に示すように直管形ランプ１を傾けて下方からソケット１０に装着する際に凸部５及び凹部１３ｃにより口金２がガイドされて装着性が向上するという利点がある。
【００２０】
ところで、現在市販されている直管形ランプの中には全長が同一で定格ランプ電力が異なる複数種類のもの（例えばＦＬＲ１１０ＨとＨＦＨ８６）が存在し、それぞれを適合ランプとする照明器具が提供されている。上記ＨＦＨ８６は定格ランプ電力を８６Ｗとする高周波点灯専用形蛍光ランプであって、定格ランプ電力を１１０Ｗとする蛍光ランプ（ＦＬＲ１１０Ｈ）に比較して同程度の明るさでありながら定格ランプ電力を減少させて省エネを実現したものである。ここで、ＦＬＲ１１０ＨとＨＦＨ８６の２種類のランプは同じＲ１７ｄ形の口金を備えており、ＦＬＲ１１０Ｈを適合ランプとする照明器具のソケット１０”は、図５に示すように口金２の凸部５と嵌合する凹部１３ｃが設けられていない点を除けば本実施形態のソケット１０とほぼ同一の構造を有しているので、ＨＦＨ８６の口金をソケット１０”の受金１３”に接続することができる。しかしながら、全長が同一であるためにＦＬＲ１１０Ｈを適合ランプとする照明器具に非適合ランプであるＨＦＨ８６を誤装着した場合には、過剰な電力が供給されることで非適合ランプ（ＨＦＨ８６）が異常発熱を起こす虞がある。
【００２１】
そこで、ＨＦＨ８６及びこれを適合ランプとする照明器具に本発明の技術思想を適用して本実施形態のように構成すれば、図６（ａ）に示すように直管形ランプ１（ＨＦＨ８６）をＦＬＲ１１０Ｈを適合ランプとする照明器具Ｘのソケット（可動形ソケット）１０”に装着しようとしても、直管形ランプ１の口金２に凸部５が設けられているために嵌合部４ａを受金１３”の嵌合凹所１３ａ”に嵌合させることができず、適合しない組み合わせである直管形ランプ１と照明器具Ｘの誤使用を防止することができる。また、口金２をソケット１０”に装着しようとした場合、移動体１４”が移動してソケット１０”の挿通孔に進入しても口金２の一方の凸部５（図６における下側の凸部５）が挿通孔周縁でソケット１０”の外郭と干渉するために口金２が挿通孔内に進入することがないから、口金２の凸部５が適合しないソケット１０”の外郭に干渉することで口金２を受金に装着しようとする力に対して充分な強度が確保できるという利点がある（図６（ｂ）参照）。
【００２２】
ところで、ＦＬＲ１１０Ｈ並びにＦＬＲ１１０Ｈを適合ランプとする照明器具Ｘのソケット１０”には従来通り凹部及び凸部が設けられていないので、本実施形態のソケット１０，１０’に非適合ランプであるＦＬＲ１１０Ｈの口金が装着できてしまうが、この組み合わせにおいては非適合ランプ（ＦＬＲ１１０Ｈ）に過剰な電力が供給されることがないために特に安全上の不具合が生じる虞が無いものである。但し、ＦＬＲ１１０ＨとＦＨＦ８６とでは管径が異なり、ＦＨＦ８６の方がＦＬＲ１１０Ｈよりも管径が小さいので、ソケット１０，１０’の高さ寸法（ボディ１１の突出部１１ｂの突出寸法）を管径に合わせてソケット１０”の高さ寸法よりも低くしておけば、ソケット１０，１０’にＦＬＲ１１０Ｈの口金を装着できなくすることができて望ましいものである。
【図面の簡単な説明】
【００２３】
【図１】本発明の実施形態を示し、（ａ）は直管形ランプの口金の正面図、（ｂ）は可動形のソケットの正面図である。
【図２】同上における直管形ランプを示し、（ａ）は正面図、（ｂ）は下面図、（ｃ）は右側面図である。
【図３】同上における可動形ソケットの分解斜視図である。
【図４】同上の直管形ランプをソケットに装着する手順を説明する説明図である。
【図５】定格ランプ電力が異なる非適合ランプに対応したソケットの斜視図である。
【図６】同上における直管形ランプが適合しないソケットに装着されないことを説明する説明図である。
【図７】同上における直管形ランプが適合しないソケットに装着されないことを説明する説明図である。
【符号の説明】
【００２４】
１  直管形ランプ
２  口金
４ａ  嵌合部
５  凸部
６  接触片
１０  ソケット
１３  受金
１３ａ  嵌合凹所
１３ｃ  凹部
１４  移動体
２０  器具本体
【図１】
2006310326.tif 000003
【図２】
2006310326.tif 000004
【図３】
2006310326.tif 000005
【図４】
2006310326.tif 000006
【図５】
2006310326.tif 000007
【図６】
2006310326.tif 000008
【図７】
2006310326.tif 000009